(57)【要約】      （修正有）【課題】ボウル部ユニットと流体吐出装置ユニットとの相対位置関係を所定の位置関係とし易い便器装置を提供する。【解決手段】ボウル部、リム２を有するボウル部ユニット１と、ボウル部内に流体吐出部を突没自在に突出させる流体吐出装置を有する流体吐出装置ユニット３とを備え、ボウル部ユニット１には、リム２の後部に、流体吐出部がボウル部内に突没するために挿通される開口部２２が形成され、流体吐出装置ユニット３には、上面に流体吐出部が載置されるノズル受け部５が設けられ、リム２の後部の開口部２２周縁の上面にノズル受け部５がパッキンを介して載置される被載置部４が形成され、ボウル部ユニット１と流体吐出装置ユニット３とに、ノズル受け部５と被載置部４とを互いに所定位置に位置決めする位置決め部６１〜６６、７１〜７４が設けられる。【選択図】図１
2015127478.tif 000002
【特許請求の範囲】
【請求項１】
ボウル部の上端部となるリムを有するボウル部ユニットと、前記ボウル部内に向けて流体を吐出する流体吐出部を突没自在に前方に突出させる流体吐出装置を有する流体吐出装置ユニットとを備え、
前記ボウル部ユニットには、前記リムの後部に、前記流体吐出部が前記ボウル部内に突没するために挿通される開口部が形成され、
前記流体吐出装置ユニットには、上面に前記流体吐出部が載置されるノズル受け部が設けられ、
前記リムの前記後部の前記開口部周縁の上面に前記ノズル受け部がパッキンを介して載置される被載置部が形成される便器装置であって、
前記ボウル部ユニットと前記流体吐出装置ユニットとに、前記ノズル受け部と前記被載置部とを互いに所定位置に位置決めする位置決め部が設けられることを特徴とする便器装置。
【請求項２】
前記位置決め部は、前記ボウル部ユニットが有する高さ位置決め部と、前記流体吐出装置ユニットが有する高さ位置決め部と、を備え、前記流体吐出装置ユニットが有する前記高さ位置決め部の上面が前記ボウル部ユニットが有する前記高さ位置決め部の下面により下方に押圧され、且つ、前記ノズル受け部が前記被載置部に前記パッキンを介して上方に押圧されることで、前記ノズル受け部と前記被載置部の上下の位置決めがなされるものであり、前記流体吐出装置ユニットの前記高さ位置決め部の上面に形成される前方へ行く程下方に位置するような傾斜か、または、前記ボウル部ユニットの前記高さ位置決め部の下面に形成される後方へ行く程上方に位置するような傾斜、のうちの少なくともいずれか一方の傾斜が形成されることを特徴とする請求項１記載の便器装置。
【請求項３】
前記ボウル部ユニットには、前記リムの上面に立設される立ち上がり壁に前記位置決め部が設けられることを特徴とする請求項１または２記載の便器装置。
【請求項４】
前記位置決め部が、前記被載置部および前記ノズル受け部の近傍に設けられることを特徴とする請求項１乃至３のいずれか一項に記載の便器装置。
【発明の詳細な説明】
【技術分野】
【０００１】
本発明は、ボウル部ユニットと流体吐出装置ユニットとが連結される便器装置に関するものである。
【背景技術】
【０００２】
従来より、ボウル部の上端部となるリムを有するボウル部ユニットと、流体を吐出する流体吐出装置を有する流体吐出装置ユニットとが連結される便器装置が知られている（例えば、特許文献１参照）。
【０００３】
この従来例の便器装置は、図７、図８に示すように、ボウル部１１の上端部となるリム２を有するボウル部ユニット１と、局部洗浄装置からなる流体吐出装置１４を有する流体吐出装置ユニット３とを備えている。流体吐出装置１４は、ボウル部１１内に向けて流体を吐出する局部洗浄ノズルからなる流体吐出部１５を突没自在に前方に突出させるものである。ボウル部ユニット１には、リム２の後部に、流体吐出部１５が挿通される開口部２２が形成されている。流体吐出装置ユニット３には、上面に流体吐出装置１４が載置され、リム２の後部の開口部２２周縁の上面の被載置部４にパッキン１３を介して載置されるノズル受け部５が設けられる。
【先行技術文献】
【特許文献】
【０００４】
【特許文献１】特開２００８−９５４６０号公報
【発明の概要】
【発明が解決しようとする課題】
【０００５】
そして、リム２の後部上面の被載置部４にノズル受け部５が載置されて、ボウル部ユニット１と流体吐出装置ユニット３とが連結されるものである。
【０００６】
しかしながら、この場合、ボウル部ユニット１と流体吐出装置ユニット３の相対位置関係が所定の位置関係よりずれると、被載置部４と、被載置部４に載置されるノズル受け部５との間に介在するパッキン１３の止水性能が安定しない、という問題があった。  
【０００７】
本発明は上記従来の問題点に鑑みて発明したものであって、その目的とするところは、ボウル部ユニットと流体吐出装置ユニットとの相対位置関係を所定の位置関係とし易い便器装置を提供することにある。
【課題を解決するための手段】
【０００８】
上記課題を解決するために、ボウル部の上端部となるリムを有するボウル部ユニットと、前記ボウル部内に向けて流体を吐出する流体吐出部を突没自在に前方に突出させる流体吐出装置を有する流体吐出装置ユニットとを備え、前記ボウル部ユニットには、前記リムの後部に、前記流体吐出部が前記ボウル部内に突没するために挿通される開口部が形成され、前記流体吐出装置ユニットには、上面に前記流体吐出部が載置されるノズル受け部が設けられ、前記リムの前記後部の前記開口部周縁の上面に前記ノズル受け部がパッキンを介して載置される被載置部が形成される便器装置であって、前記ボウル部ユニットと前記流体吐出装置ユニットとに、前記ノズル受け部と前記被載置部とを互いに所定位置に位置決めする位置決め部が設けられることを特徴とする。
【０００９】
また、前記位置決め部は、前記ボウル部ユニットが有する高さ位置決め部と、前記流体吐出装置ユニットが有する高さ位置決め部と、を備え、前記流体吐出装置ユニットが有する前記高さ位置決め部の上面が前記ボウル部ユニットが有する前記高さ位置決め部の下面により下方に押圧され、且つ、前記ノズル受け部が前記被載置部に前記パッキンを介して上方に押圧されることで、前記ノズル受け部と前記被載置部の上下の位置決めがなされるものであり、前記流体吐出装置ユニットの前記高さ位置決め部の上面に形成される前方へ行く程下方に位置するような傾斜か、または、前記ボウル部ユニットの前記高さ位置決め部の下面に形成される後方へ行く程上方に位置するような傾斜、のうちの少なくともいずれか一方の傾斜が形成されることが好ましい。
【００１０】
また、前記ボウル部ユニットには、前記リムの上面に立設される立ち上がり壁に前記位置決め部が設けられることが好ましい。
【００１１】
また、前記位置決め部が、前記被載置部および前記ノズル受け部の近傍に設けられることが好ましい。
【発明の効果】
【００１２】
本発明の便器装置にあっては、ボウル部ユニット１と流体吐出装置ユニット３の相対位置関係が所定の位置関係よりずれるのを抑制し、止水性能が安定するものである。
【図面の簡単な説明】
【００１３】
【図１】本発明の第一の実施形態の便器装置を示し、（ａ）はボウル部ユニットを後斜め上方より見た斜視図であり、（ｂ）流体吐出装置ユニットを前斜め上方より見た斜視図である。
【図２】第一の実施形態における便器装置の斜視図である。
【図３】第一の実施形態における上カバーを除いた便器装置の後斜め上方より見た斜視図である。
【図４】第一の実施形態におけるボウル部ユニットと流体吐出装置ユニットの連結部の側断面図である。
【図５】第一の実施形態における流体吐出装置ユニットの要部の正面図である。
【図６】（ａ）は第一の実施形態におけるボウル部ユニットと流体吐出装置ユニットの連結部の切断面の正面図である。
【図７】従来例の便器装置を示し、（ａ）はボウル部ユニットを後斜め上方より見た斜視図であり、（ｂ）流体吐出装置ユニットを後斜め上方より見た斜視図である。
【図８】従来例の便器装置の流体吐出装置ユニットの正面図である。
【発明を実施するための形態】
【００１４】
本発明に係る便器装置は、ボウル部１１の上端部となるリム２を有するボウル部ユニット１と、ボウル部１１内に向けて流体を吐出する流体吐出部１５を突没自在に前方に突出させる流体吐出装置１４を有する流体吐出装置ユニット３とを備える。ボウル部ユニット１には、リム２の後部に、流体吐出部１５がボウル部１１内に突没するために挿通される開口部２２が形成される。流体吐出装置ユニット３には、上面に流体吐出部１５が載置されるノズル受け部５設けられ、リム２の前記後部の開口部２２周縁の上面にノズル受け部５がパッキン１３を介して載置される被載置部４が形成される。ボウル部ユニット１と流体吐出装置ユニット３とに、ノズル受け部５と被載置部４とを互いに所定位置に位置決めする位置決め部６１〜６６、７１〜７６が設けられることを特徴とする。
【００１５】
また、位置決め部は、ボウル部ユニット１が有する高さ位置決め部６１〜６４と、流体吐出装置ユニット３が有する高さ位置決め部７１〜７４と、を備え、流体吐出装置ユニット３が有する高さ位置決め部７１〜７４の上面がボウル部ユニット１が有する高さ位置決め部６１〜６４の下面により下方に押圧され、且つ、ノズル受け部５が被載置部４にパッキン１３を介して上方に押圧されることで、ノズル受け部５と被載置部４の上下の位置決めがなされるものであり、流体吐出装置ユニット３の高さ位置決め部７１〜７４の上面に形成される前方へ行く程下方に位置するような傾斜か、または、ボウル部ユニット１の高さ位置決め部６１〜６４の下面に形成される後方へ行く程上方に位置するような傾斜、のうちの少なくともいずれか一方の傾斜が形成されることが好ましい。
【００１６】
また、ボウル部ユニット１には、リム２の上面に立設される立ち上がり壁２１に位置決め部６１〜６６が設けられることが好ましい。
【００１７】
また、位置決め部６１〜６６、７１〜７６が、被載置部４およびノズル受け部５の近傍に設けられることが好ましい。
【００１８】
以下、本発明の第一の実施形態について添付図面に基いて説明する。
【００１９】
図２に示すように、第一の実施形態では、前パーツとなるボウル部ユニット１は、ボウル部１１およびリム２を有する便器本体１０と、スカート部１２とを備えている。また、後パーツとなる流体吐出装置ユニット３は、流体吐出装置１４としての局部洗浄装置と、上カバー３１と、リアスカート（不図示）と、左右のサイドスカート３２を備えている。また、第一の実施形態の便器装置は、更に、ボウル部ユニット１と流体吐出装置ユニット３を支持する支持フレーム（不図示）を備えている。
【００２０】
なお、本実施形態では、流体吐出装置ユニット３の主体を構成する流体吐出装置１４が、ボウル部ユニット１の主体を構成するボウル部１１の後側に位置している。このため、ボウル部ユニット１が前パーツ、流体吐出装置ユニット３が後パーツとなっている。しかし、ボウル部ユニット１が前パーツ、流体吐出装置ユニット３が後パーツでなくてもよく、ボウル部ユニット１と流体吐出装置ユニット３の前後位置関係は特に限定されない。
【００２１】
便器本体１０は、図２に示すように、ボウル部１１と、ボウル部１１の上端開口縁の全周にわたって形成されたリム２とからなり、リム２の上面２０は、便座（不図示）が載置される便座載置面となる。ボウル部１１の底部の後部には回動自在な排水筒部（不図示）が設けられる。ボウル部１１とリム２は、第一の実施形態では合成樹脂で形成されるもので、一体に成形されてもよいし、別々に成形された後、溶着や接着により接合されてもよい。また、スカート部１２も合成樹脂で形成され、便器本体１０と一体に成形されてもよいし、便器本体１０とは別に成形された後、溶着や接着により接合されてもよい。また、スカート部１２は、便器本体１０に対して着脱自在に取り付けられてもよい。
【００２２】
なお、第一の実施形態では便器本体１０とスカート部１２とでボウル部ユニット１が構成されているが、スカート部１２はなくてもよい。また、ボウル部１１とリム２とスカート部１２は、合成樹脂以外の材料で形成されてもよい。
【００２３】
流体吐出装置ユニット３を構成する上カバー３１、リアスカート、左右のサイドスカート３２は、第一の実施形態では合成樹脂で形成され、着脱自在に組み合わせられる。なお、上カバー３１、リアスカート、左右のサイドスカート３２はなくてもよい。また、上カバー３１、リアスカート、左右のサイドスカート３２、装置ケース５０（後述する）は、合成樹脂以外の材料で形成されてもよい。
【００２４】
流体吐出装置ユニット３は、図１（ｂ）に示すように、前端部に、流体吐出装置１４を載置する装置ケース５０を備えている。装置ケース５０は、第一の実施形態では、前方および上方に開放される略箱状をしたもので、その前端部は図示しないが略垂直な平面内に位置し、正面視略Ｕ字状をしている。流体吐出装置１４は、局部洗浄ノズルからなる流体吐出部１５と、図示しないが、流体吐出部１５を駆動する駆動手段と、駆動手段を制御する制御部と、を備えている。流体吐出部１５は、第一の実施形態では水道等の水源に接続され、流体として水を吐出するものである。また、局部洗浄ノズルとしては、おしり洗浄ノズル、ビデ洗浄ノズルが挙げられる。なお、局部洗浄ノズルの他に、流体吐出部として、おしり洗浄ノズルまたはビデ洗浄ノズルを洗浄するノズル洗浄ノズルを備えていてもよい。
【００２５】
駆動手段として、図示しないが、流体吐出部１５を進退させるモータが設けられてもよい。また、駆動手段として、水源としての水道との連通および遮蔽を切り替える電磁弁を備え、水道と連通させて水道圧により流体吐出部１５を前進させたり、水道から遮蔽してばね等の付勢手段により流体吐出部１５を後退させるものでもよい。駆動手段としては他の手段でもよく、特に限定されない。
【００２６】
制御部は、マイクロコンピュータ等からなり、駆動手段を制御して、流体吐出部１５の進退と、流体吐出部１５からの流体の吐出と停止を切り替えるものである。また、流体吐出部１５として複数のノズルを備えている場合には、各ノズル毎に駆動可能な駆動手段を備え、制御部は任意のノズルを駆動させるように制御する。
【００２７】
上記のような流体吐出装置１４のうち流体吐出部１５が、流体吐出装置ユニット３の前端部の装置ケース５０に載置されている。流体吐出部１５は、前進することで装置ケース５０から前方に突出し、後退することで装置ケース５０から突出しない状態となる。なお、最も後退した状態で装置ケース５０から若干突出していてもよい。
【００２８】
また、第一の実施形態では、装置ケース５０の後方や側方に、送風ダクト、貯湯タンク、送水用ポンプ、温風ファン等の機能部品（不図示）が設置される。
【００２９】
図１（ａ）に示すように、ボウル部ユニット１には、リム２の後部の後端部よりも前方の上面に、後方へ行く程上方に位置する立ち上がり壁２１が設けられるものである。第一の実施形態では、立ち上がり壁２１は、リム２の後部から突出する基端部側の略半部においては、後方へ行く程上方に位置するように傾斜し、先端部側の略半部においては、略上方に向けて起立している。この立ち上がり壁２１により、リム２の上面を伝って水が流体吐出装置ユニット３の方へ浸入するのが防止される。
【００３０】
そして、立ち上がり壁２１とリム２の後端部の一方または両方に、流体吐出部１５がボウル部１１内に突没するために挿通される開口部２２が形成されるものである。第一の実施形態では、立ち上がり壁２１の下端部からリム２の後端部にかけて、開口部２２が形成されている。
【００３１】
そして更に、リム２の後端部の上面に、開口部２２を囲う防水壁が設けられるものである。第一の実施形態では、防水壁として、開口部２２の左右両側に、立ち上がり壁２１の下面からリム２の後端部の上面にかけてリブ２３が形成され、後端部の上面に、前記左右のリブ２３を連結する連結リブ２４が形成されている。第一の実施形態の防水壁は、左右のリブ２３と連結リブ２４からなり、装置ケース５０の前端部と同じ略Ｕ字状をしたもので、後端縁は略垂直な平面内に位置している。装置ケース５０にはその上面に流体吐出部１５が載置され、リム２の後部の開口部２２周縁の上面にパッキン１３を介して載置される、ノズル受け部５となる。第一の実施形態では、図１（ａ）、図４に示すように、リム２の前記後部の開口部２２周縁の上面に、ノズル受け部５がパッキン１３を介して載置される被載置部４が形成される。
【００３２】
パッキン１３は、第一の実施形態ではノズル受け部５の下面に固定されているが、被載置部４にパッキン１３が固定されてもよいし、いずれにも固定されなくてもよい。このパッキン１３により、ボウル部１１から開口部２２に侵入した水が、下面５ａと上面との間を通って内部（装置ケース５０内）に侵入するのが抑えられる。
【００３３】
しかしながら、ボウル部ユニット１と流体吐出装置ユニット３の相対位置関係が所定の位置関係よりずれると、被載置部４とノズル受け部５との間に介在するパッキン１３の止水性能が安定しない。そこで、ボウル部ユニット１と流体吐出装置ユニット３とに、被載置部４とノズル受け部５とを互いに所定位置に位置決めする位置決め部６１〜６６、７１〜７６が設けられる。
【００３４】
位置決め部は、ボウル部ユニット１に設けられる高さ位置決め部６１〜６４と、左右位置決め部６５〜６６、流体吐出装置ユニット３に設けられる高さ位置決め部７１〜７４と、左右位置決め部７５〜７６とで構成される。
【００３５】
第一の実施形態では、図１（ａ）に示すように、高さ位置決め部６１〜６４は、立ち上がり壁２１の背面から後方に突出する突起として形成される。また、左右位置決め部６５〜６６は、立ち上がり壁２１の背面から後方に突出するもので、第一の実施形態では防水壁を構成するリブ２３からなる。
【００３６】
第一の実施形態では、図１（ｂ）、図６に示すように、高さ位置決め部７１〜７４は、装置ケース５０から上方に突出する突起として形成される。また、左右位置決め部７５〜７６は、前方に開口し後方に凹む凹溝からなる。
【００３７】
ボウル部ユニット１に流体吐出装置ユニット３が連結されるには、まず、ボウル部ユニット１に流体吐出装置ユニット３が後方より近接される。そして、被載置部４に、後方よりノズル受け部５が載置されて、ノズル受け部５が前方に移動される。この時、高さ位置決め部６１〜６４の下側に高さ位置決め部７１〜７４が入り込み、ボウル部ユニット１に対する流体吐出装置ユニット３の上方への移動が規制される。第一の実施形態では、高さ位置決め部７１〜７４の上端部に、前方へ行く程下方に位置するような傾斜が形成されており、高さ位置決め部６１〜６４の下側に高さ位置決め部７１〜７４が入り込み易くなっている。これにより、装置ケース５０が、ボウル部ユニット１の被載置部４と高さ位置決め部６１〜６４とで上下より挟持される状態となり、上下の位置決めがなされる。この時、高さ位置決め部７１〜７４の上端部に傾斜が形成されることで、ボウル部ユニット１や流体吐出装置ユニット３の製造誤差が生じていても、高さ位置決め部７１〜７４が入り込む際に、傾斜のいずれかの部分に高さ位置決め部６１〜６４が当接する。これにより、装置ケース５０が、ボウル部ユニット１の被載置部４と高さ位置決め部６１〜６４とで上下より確実に挟持が行われる。
【００３８】
また、左右の位置決めについては、ノズル受け部５が前方に移動された時に、左右位置決め部７５〜７６の凹溝内に左右位置決め部６５〜６６が入り込み、ボウル部ユニット１に対する流体吐出装置ユニット３の左右方向の移動が規制される。これにより、ボウル部ユニット１と流体吐出装置ユニット３の左右の位置決めがなされる。
【００３９】
ボウル部ユニット１と流体吐出装置ユニット３は、ビス（不図示）やその他様々な連結手段により連結される。連結手段による連結により、連結リブ２４の上面とノズル受け部５の下面とがパッキン１３を介して圧接される。これにより、パッキン１３が充分に圧縮されて、止水効果が確保される。
【００４０】
本発明においては、ボウル部ユニット１と流体吐出装置ユニット３の相対位置関係が所定の位置関係よりずれるのを抑制し、止水性能が安定するものである。また、リム２に直結する立ち上がり壁２１に位置決め部６１〜６６が設けられることで、剛性が向上して位置決め部６１〜６６の撓みが抑制され、撓みにより止水性能が低下するのが抑制される。
【００４１】
また、位置決めする位置決め部６１〜６６、７１〜７６が、被載置部４およびノズル受け部５の近傍に設けられることで、被載置部４とノズル受け部５のずれを抑制し、より一層の止水性能の低下の抑制が図られる。
【符号の説明】
【００４２】
１    ボウル部ユニット
１０  便器本体
１１  ボウル部
１２  スカート部
１３  パッキン
１４  流体吐出装置
１５  流体吐出部
２    リム
２０  上面
２１  立ち上がり壁
２２  開口部
２３  リブ
２４  連結リブ
３    流体吐出装置ユニット
３１  上カバー
３２  サイドスカート
４    被載置部
５    ノズル受け部
５０  装置ケース
６１〜６４  高さ位置決め部
６５〜６６  左右位置決め部
７１〜７４  高さ位置決め部
７５〜７６  左右位置決め部
【図１】
2015127478.tif 000003
【図２】
2015127478.tif 000004
【図３】
2015127478.tif 000005
【図４】
2015127478.tif 000006
【図５】
2015127478.tif 000007
【図６】
2015127478.tif 000008
【図７】
2015127478.tif 000009
【図８】
2015127478.tif 000010